(57)【特許請求の範囲】
【請求項１】
表示手段と、
入力手段と、
画像圧縮伸張処理プログラムの動作により処理される画像と、前記入力手段による入力に対応する前記画像圧縮伸張処理プログラムの動作を制御するための制御内容と、を前記表示手段に表示させる第１の表示制御手段と、
音声着信を検出する着信検出手段と、
前記第１の表示制御手段によって前記表示手段が制御されているときに前記着信検出手段による音声着信が検出されると、前記第１の表示制御手段によって表示されている制御内容を当該音声着信に対する応答の保留を含む着信検出に対応する制御内容に変更する変更手段と、
この変更手段によって変更された制御内容のうち前記応答の保留に対応する前記入力手段による入力を検出すると、前記応答の保留を開始させるとともに、前記表示手段に保留状態の継続時間を表示するよう制御する第１の制御手段と、
を備えたことを特徴とする携帯電話。
【請求項２】
前記継続時間の間に前記音声着信に対するメッセージの送信指示を検出したか否かを判断する第１の判断手段と、
この第１の判断手段により前記メッセージの送信指示を検出したと判断すると、前記保留を解除するとともに前記メッセージを送信する送信手段と
を更に備えたことを特徴とする請求項１記載の携帯電話。
【請求項３】
前記継続時間は予め設定されたものであり、前記継続時間の間に前記応答の保留の継続指示を検出したか否かを判断する第２の判断手段と、
この第２の判断手段により前記継続指示を検出したと判断すると、前記継続時間を再び開始させるとともに、前記表示手段に保留状態の継続時間を表示するよう制御する第２の制御手段と、
を更に備えたことを特徴とする請求項１又は２に記載の携帯電話。
【請求項４】
前記着信検出手段によって音声着信が検出されると、この検出された音声着信に対応する発信者情報を表示するよう前記表示手段を制御する第２の表示制御手段を更に備えたことを特徴とする請求項１乃至３の何れかに記載の携帯電話。
【請求項５】
前記変更手段によって変更された制御内容に対応する前記入力手段による入力を検出すると、前記画像圧縮伸張処理プログラムの動作を中断するよう制御する第３の制御手段を更に備えたことを特徴とする請求項１乃至４の何れか記載の携帯電話。
【請求項６】
撮像手段を更に備え、
前記画像圧縮伸張処理プログラムは、その動作により前記撮像手段によって撮像された画像を処理するプログラムであることを特徴とする請求項１乃至５の何れかに記載の携帯電話。
【請求項７】
コンピュータを
画像圧縮伸張処理プログラムの動作により処理される画像と、入力部からの入力に対応する前記画像圧縮伸張処理プログラムの動作を制御するための制御内容と、を表示部に表示させる表示制御手段、
音声着信を検出する着信検出手段、
前記表示制御手段によって前記表示部が制御されているときに前記着信検出手段による音声着信が検出されると、前記表示制御手段によって表示されている制御内容を当該音声着信に対する応答の保留を含む着信検出に対応する制御内容に変更する変更手段、
この変更手段によって変更された制御内容のうち前記応答の保留に対応する前記入力部からの入力を検出すると、前記応答の保留を開始させるとともに、前記表示部に保留状態の継続時間を表示するよう制御する制御手段、
として機能させることを特徴とする表示制御プログラム。
【発明の詳細な説明】
【技術分野】
【０００１】
本発明は、携帯電話、及び、表示制御プログラムに関する。
【背景技術】
【０００２】
近年、無線通信機能を備えたカメラとして、カメラ機能やメール機能が装備された携帯電話が存在する。
このような携帯電話においては、本来の用途であるところの通話処理機能や電子メール通信等のデータ通信機能とカメラによる静止画撮影機能や動画撮影機能とを併せ持つため、例えば、動画撮影中に予期しない着信を検出した場合、撮影を中断して着信に対し何がしかの応答処理を行わなければならないケースがあり、このような撮影動作と着信処理動作との同時並行処理に関連して様々な工夫が提案されている（例えば、特許文献１参照）。
【特許文献１】特開２００１−７８０７８号公報
【発明の開示】
【発明が解決しようとする課題】
【０００３】
しかしながら、上記文献においては、着信時の応答処理とそれに対応するキー操作方法についてユーザが予め学習していなければならず、撮影動作中に予期しない着信を検出した場合の応答処理方法としては、あらゆるユーザにとって使い勝手に欠けるといった問題点があった。
【０００４】
本発明の課題は、撮影動作等による画像表示の際、予期しない音声着信があっても、ユーザにとって理解しやすい応答動作をガイダンスすることができる携帯電話、及び、表示制御プログラムを提供することにある。
【課題を解決するための手段】
【０００５】
請求項１記載の発明は、表示手段と、入力手段と、画像圧縮伸張処理プログラムの動作により処理される画像と、前記入力手段による入力に対応する前記画像圧縮伸張処理プログラムの動作を制御するための制御内容と、を前記表示手段に表示させる第１の表示制御手段と、音声着信を検出する着信検出手段と、前記第１の表示制御手段によって前記表示手段が制御されているときに前記着信検出手段による音声着信が検出されると、前記第１の表示制御手段によって表示されている制御内容を当該音声着信に対する応答の保留を含む着信検出に対応する制御内容に変更する変更手段と、この変更手段によって変更された制御内容のうち前記応答の保留に対応する前記入力手段による入力を検出すると、前記応答の保留を開始させるとともに、前記表示手段に保留状態の継続時間を表示するよう制御する第１の制御手段と、を備えたことを特徴とする。
【０００６】
請求項２記載の発明は、上記請求項１記載の発明において、前記継続時間の間に前記音声着信に対するメッセージの送信指示を検出したか否かを判断する第１の判断手段と、この第１の判断手段により前記メッセージの送信指示を検出したと判断すると、前記保留を解除するとともに前記メッセージを送信する送信手段とを更に備えたことを特徴とする。
【０００７】
請求項３記載の発明は、上記請求項１又は２記載の発明において、前記継続時間は予め設定されたものであり、前記継続時間の間に前記応答の保留の継続指示を検出したか否かを判断する第２の判断手段と、この第２の判断手段により前記継続指示を検出したと判断すると、前記継続時間を再び開始させるとともに、前記表示手段に保留状態の継続時間を表示するよう制御する第２の制御手段と、更に備えたことを特徴とする。
【０００８】
請求項４記載の発明は、上記請求項１乃至３の何れかに記載の発明において、前記着信検出手段によって音声着信が検出されると、この検出された音声着信に対応する発信者情報を表示するよう前記表示手段を制御する第２の表示制御手段を更に備えたことを特徴とする。
【０００９】
請求項５記載の発明は、上記請求項１乃至４の何れかに記載の発明において、前記変更手段によって変更された制御内容に対応する前記入力手段による入力を検出すると、前記画像圧縮伸張処理プログラムの動作を中断するよう制御する第３の制御手段を更に備えたことを特徴とする。
【００１０】
請求項６記載の発明は、上記請求項１乃至５の何れかに記載の発明において、撮像手段を更に備え、前記画像圧縮伸張処理プログラムは、その動作により前記撮像手段によって撮像された画像を処理するプログラムであることを特徴とする。
【００１１】
請求項７記載の発明は、コンピュータを、画像圧縮伸張処理プログラムの動作により処理される画像と、入力部からの入力に対応する前記画像圧縮伸張処理プログラムの動作を制御するための制御内容と、を表示部に表示させる表示制御手段、音声着信を検出する着信検出手段、前記表示制御手段によって前記表示部が制御されているときに前記着信検出手段による音声着信が検出されると、前記表示制御手段によって表示されている制御内容を当該音声着信に対する応答の保留を含む着信検出に対応する制御内容に変更する変更手段、この変更手段によって変更された制御内容のうち前記応答の保留に対応する前記入力部からの入力を検出すると、前記応答の保留を開始させるとともに、前記表示部に保留状態の継続時間を表示するよう制御する制御手段、として機能させることを特徴とする。
【発明の効果】
【００１２】
本発明によれば、画像表示中に予期しない音声着信があった場合、画像と共に表示されている制御内容が応答処理内容に切り替わるので、ユーザに撮影動作を継続させつつも音声着信に対する応答の保留を含め音声着信時の応答処理内容を理解しやすく表示させることができる。
【発明を実施するための最良の形態】
【００１９】
＜実施の形態＞
以下、本発明の実施の形態を図面に基づいて説明する。なお、本実施の形態においては、撮像装置を、カメラ機能を備えた２つ折りタイプの携帯電話として説明する。
図１は、本実施の形態に係る携帯電話１の開状態を示す図であり、（ａ）は正面図、（ｂ）は背面図である。
【００２０】
図１（ａ）に示すように、携帯電話１の表面には、図形や画像等の各種情報を表示するとともに操作者に対して操作案内を表示するメイン表示部（表示手段）１１が配設されている。メイン表示部１１はカラー液晶から形成されており、ＱＶＧＡ相当の解像度を有している。
【００２１】
メイン表示部１１の上方には、通話モード等において受話音声を出力するスピーカ１２が配設されている。
メイン表示部１１の下方には、操作者が各種情報の入力や機能指示等を行うためのキー操作部（入力手段）１４が配設されている。
【００２２】
キー操作部１４には、撮影モードを動作させる場合に操作するカメラキー１４１や、メールモードを動作させるためのメールキー１４２、各モードにおいて決定を指示する決定キー１４３、各モードにおいて上下左右方向に選択操作を行うためのカーソルキー１４４等が配設されている。
【００２３】
なお、カメラキー１４１は、各モードにおいて特定の機能を動作させる際にも操作されるようになっている。また、決定キー１４３は、撮影モードにおいてシャッターを指示する際にも操作されるようになっている。
【００２４】
また、キー操作部１４には、アドレス帳モードを動作させる場合に操作するアドレス帳キー１４５や、各モードにおいてキャンセルを指示するクリアキー１４６、文字入力及びダイアル入力を指示するためのテンキー１４７、インターネット接続を指示するためのＷｅｂキー１０９の他、オフフックキー１１１、オンフック／電源ＯＮ／ＯＦＦキー１１２等も配設されている。
【００２５】
なお、アドレス帳キー１４５は、各モードにおいて特定の機能を動作させる際にも操作されるようになっている。
キー操作部１４の下方には、通話モード等において送話音声を集音するマイク１５が配設されている。
【００２６】
また、図１（ｂ）に示すように、携帯電話１の裏面には、サブ表示部２１が配設されている。サブ表示部２１はカラー液晶から形成されており、蓋が閉じた状態でも簡単なメッセージを操作者に知らせることができるようになっている。
【００２７】
サブ表示部２１の上方には、マイク２２が配設されている。マイク２２は、撮影モード等において録音機能を動作させた際に集音するためのものである。
サブ表示部２１の下方には、撮影モード等において静止画や動画を撮影する撮影レンズ（撮影手段）２３が配設されている。
【００２８】
撮影レンズ２３の側方には、報知用ＬＥＤ２４とフラッシュ用ＬＥＤ２５とが配設されている。報知用ＬＥＤ２４は、着信或いは警告等を撮影者等に報知するために点灯するものである。フラッシュ用ＬＥＤ２５は、撮影時において被写体周辺を明るくするために点灯するものである。
【００２９】
また、フラッシュ用ＬＥＤ２５の側方には、通信サービス会社のサーバと通信するためのアンテナ２７が伸縮可能に設けられている。アンテナ２７は、所定の周波数帯、具体的には、通信サービス会社が採用する携帯用の無線プロトコルで使用する周波数帯に対応している。
【００３０】
撮影レンズ２３の下方には、着信音或いは警告音等を出力して操作者等に報知する報知用スピーカ２６が配設されている。
【００３１】
また、携帯電話１は、図２に示すように、携帯電話１の動作やモードの切り替えを制御する制御部３２（表示制御手段、着信検出手段、変更手段、制御手段）を備えている。
制御部３２は、通信データ処理部３２１、システムＲＯＭ３２２及びオーディオインターフェイス３２３を有している。
【００３２】
通信データ処理部３２１には、ＣＬＥＰ系ボコーダや音声復号処理回路、パケットデータ生成回路、パケットデータ復元回路などが備えられている。これにより、通信データ処理部３２１は、音声データやメールデータ、静止画データ、動画データを含むパケットデータの入出力制御を行うようになっている。具体的には、通信データ処理部３２１は、無線部３１より入力されたデータについて予め設定された端末認証方式に基づいてデータの入出力を許可するようになっている。また、通信データ処理部３２１は、ＷＷＷ接続の制御を行うようになっている。
【００３３】
システムＲＯＭ３２２は、ＯＳ基本システムと、加入者や端末固有に設定された認証データと、通信プロトコル処理プログラムとを記憶している。なお、認証データとしては、携帯電話１に設定された電話番号やメールアドレス等がある。
【００３４】
オーディオインターフェイス３２３は、マイク１５，２２及びスピーカ１２と接続されており、音声の入出力を制御するようになっている。具体的には、オーディオインターフェイス３２３は、音声通話や録音の際にマイク１５，２２から入力された音声をＣＥＬＰ系音声符号化方式に基づいて圧縮符号化するようになっている。また、オーディオインターフェイス３２３は、音声通話や動画再生の際に通信データ処理部３２１やアドレス・データバス処理部３３より入力された圧縮音声データを復号化処理し、スピーカ１２から出力させるようになっている。
【００３５】
この制御部３２には、無線部３１を介してアンテナ２７が接続されている。
無線部３１は、アンテナ２７を介して入力された無線信号の中から携帯電話１宛の無線信号を抽出し、制御部３２に出力するようになっている。また、無線部３１は、制御部３２より出力される各種デジタルデータを無線信号に変換してアンテナ２７に出力するようになっている。なお、本実施の形態においては、無線信号形式としてＣＤＭＡ方式が、変復調方式としてＱＰＳＫ変復調方式が採用されている。
【００３６】
制御部３２には、制御部３２の周辺回路（図２中、破線で囲まれた部分）とのデータの入出力タイミング等を制御するアドレス・データバス処理部３３が接続されている。
このアドレス・データバス処理部３３には、ＲＡＭ３４やプログラムＲＯＭ３５、音源ＩＣ３６、表示モジュール系ドライバ３７、撮像デバイス（撮影手段）３９、ＤＳＰ３８等が接続されている。
【００３７】
ＲＡＭ３４には、制御部３２が動作する上で必要なデータが記憶されるようになっている。また、ＲＡＭ３４には、アドレス帳データやメールデータ、圧縮符号化された静止画データや動画データ等、携帯電話及び撮像装置として必要なデータも記憶されるようになっている。
【００３８】
プログラムＲＯＭ３５は、電気的に書き換え可能なＦｌａｓｈ  ＲＯＭで構成されている。プログラムＲＯＭ３５には、例えば、撮影モードで動作する画像圧縮伸張処理プログラム等、各種モードで動作するアプリケーションソフトウエアが格納されている。
【００３９】
音源ＩＣ３６には、デジタルデータ化されたメロディ音源情報が格納されている。音源ＩＣ３６には、ＡＭＰ３６０を介して報知用スピーカ２６が接続されている。
【００４０】
表示モジュール系ドライバ３７は、メイン表示部１１、サブ表示部２１、報知用ＬＥＤ２４及びフラッシュ用ＬＥＤ２５による表示出力や報知出力を制御するものである。
【００４１】
撮像デバイス３９は、ＣＣＤやＣＭＯＳで構成されている。この撮像デバイス３９は、撮影レンズ２３によって撮像された静止画や動画のイメージを電気信号にして出力するようになっている。
【００４２】
ＤＳＰ３８は、撮像デバイス３９から出力されるアナログの電気信号をデジタル信号に変換するようになっている。
【００４３】
次に、画像撮影の開始後に音声着信があった場合における携帯電話１の動作について、図３〜図５を参照しつつ説明する。なお、以下の説明においては、携帯電話１は動画撮影中であることとして説明するが、静止画撮影中であることとしても良い。
【００４４】
まず、操作者がカメラキー１４１等を操作することにより、携帯電話１は撮影モードとなり、撮影レンズ２３を用いて動画撮影を開始する。この時、メイン表示部１１は図５（ａ）中の「モニター表示」の枠内に被写体を表示する（ステップＳ１）。また、メイン表示部１１は、下端部に「中止」、「一時停止」及び「終了」の選択肢を表示する。ここで、「中止」は画像撮影の中止を意味し、「一時停止」は画像撮影の一時停止を意味し、「終了」は撮影モードの終了を意味している。これら選択肢はカーソルキー１４４と決定キー１４３等とによって選択されるようになっており、何れの選択肢も選択されない場合には、携帯電話１は画像撮影を続行するようになっている。
【００４５】
この状態で、携帯電話１は並行処理として、前記サーバを介して携帯電話１が音声着信要求信号を受信検出したか否かを判断する（ステップＳ２）。受信検出しなければステップＳ1に戻り処理を継続するが、検出した場合、メイン表示部１１は、被写体を中央に表示しつつ、図５（ｂ）の一点鎖線の枠内に示すように、着信を報知する報知メッセージと、音声着信要求信号に含まれる発信者情報（例えば、発信した通信端末の電話番号）に基づいて、通信先の相手の電話番号とを下部にポップアップ（吹き出し）表示する（ステップＳ３）。
【００４６】
また、メイン表示部１１は、上記の「中止」、「一時停止」、「終了」の表示に切り換えて、下端部に「拒否」、「話す」及び「保留」の３つの選択肢を表示する。これらの選択肢は、画像撮影を中断するか否かについて、操作者に選択を指示するものである。これに対し操作者は、「拒否」を選択したければ、カメラキー１４１を、「話す」を選択したければ決定キー１４３を、「保留」を選択したければアドレス帳キー１４５を操作する。
このように、電話を掛けてきた相手の情報と撮影中の画像とがメイン表示部１１に同時に表示されるので、操作者は、電話を掛けてきた相手や撮影の重要度に応じて選択を行うことができる。
【００４７】
なお、受信の際には、撮影画像にブレが生じたり着信音が入ったりしないよう、音や振動は生じないことが好ましい。
また、図５（ｂ）においては、通信先の相手の電話番号が表示されているが、ＲＡＭ３４の内部のアドレスデータに通信先の相手が登録されている場合には、図５（ｃ）の一点鎖線の枠内に示すように、登録名や登録画像が表示されることが好ましい。この場合には、誰からの着信であるのかがより分かり易く表示されることとなる。
【００４８】
操作者がカメラキー１４１を操作して「拒否」を選択した場合には（ステップＳ４）、これを検出し、着信に対する応答が拒否されてその旨がポップアップ表示され（ステップＳ５）、ステップＳ１に戻り画像撮影が続行される。このとき、図５（ｄ）に示すように、メイン表示部１１は引き続いて被写体を中央に表示し、かつ、応答を拒否した旨を下部に表示する。なお、「拒否」を選択する場合としては、通話をしたくない相手から音声着信があった場合などがある。このような場合には、「拒否」の選択の後、着信拒否の登録をするか否かを操作者に選択させることとしてもよい。
【００４９】
一方、操作者によるカメラキー１４の操作を検出しなかった場合は、決定キー１４３を操作したか否か、すなわち、「話す」を選択したか否かを判断する（ステップＳ６）。「話す」を選択した場合には、現在の撮影状態をＲＡＭ３４に保持しつつ、撮影モードから通話モードに移行し（ステップＳ７）、図５（ｅ）に示すように、通話処理を行う（ステップＳ８）。このＲＡＭ３４に保持された状態のデータは圧縮処理せずに、そのままの画像として保持している。そして通話が終了したか否かを判断し（ステップ９）、通話終了を検出した場合は、撮影モードに復帰し（ステップＳ１０）、ステップＳ１の処理に移行する。
【００５０】
また、操作者によるカメラキー１４１、決定キー１４３のいずれの操作を検出しなかった場合は、アドレス帳キー１４５を操作したか否か、すなわち、「保留」を選択したか否かを判断する（ステップＳ１１）。「保留」の選択を検出した場合には、一定時間動作するタイマーがスタートし（ステップＳ１２）、画像撮影が続行され、通話が保留中である旨が前記サーバを介して通信先の相手に通知される。また、メイン表示部１１は、被写体を中央に表示しつつ、図５（ｆ）の一点鎖線の枠内に示すように、保留中である旨と、保留状態の継続時間（タイマースタートからのカウント値）とを下部にポップアップ表示する（ステップＳ１３）。これに対し、操作者のカメラキー１４１、決定キー１４３、アドレス帳キー１４５の操作の有無を判断し（ステップＳ１４、Ｓ１６、Ｓ１８）、カメラキー１４１を操作すれば「話す」を選択したと判断し、決定キー１４３を操作すれば、「保留継続」と判断し、アドレス帳キー１４５を操作すれば、「留守」を選択したと判断する。またいずれも検出しない場合は、タイマーのタイムアップを検出する（ステップＳ２０）。
操作者が「話す」を選択すると、ステップＳ１５にてタイマーをリセットし、携帯電話１を撮影モードから通話モードに移行させる（ステップＳ８）。
【００５１】
一方、操作者によるカメラキー１４１の操作を検出せずに、ステップＳ１６にてアドレス帳キー１４５の操作を検出した場合は、保留を解除するとともに、留守である旨のメッセージをサーバに送信し（ステップＳ１７）、ステップＳ１の処理に戻る。尚、ステップＳ１７の状態の時、メイン表示部１１は、被写体を中央に表示しつつ前記報知メッセージを消し、更に、図５（ｇ）の一点鎖線の枠内に示すように、留守メッセージの送信中である旨を下部に点滅表示する。
【００５２】
また、操作者によるカメラキー１４１、アドレス帳キー１４５のいずれの操作を検出せずに、ステップＳ１８にて決定キー１４３の操作を検出した場合は、保留状態を継続するものと判断し、既にスタートしているタイマーをリセットし（ステップＳ１９）、更に再スタートさせる（ステップＳ２０）。またこれに伴い、図５（ｆ）に表示されている「保留中××秒」のポップアップ表示における秒数を再度スタート時からの秒数に戻してステップＳ１３からの保留状態を継続する。
【００５３】
上記の操作をいずれも検出しない場合はタイマーのタイムアップを検出したか否かを判断する（ステップＳ２１）。タイムアップを検出しなければステップＳ１３に移行する。一方、タイムアップを検出した場合は、保留を解除するとともに、留守である旨のメッセージをサーバに送信し（ステップＳ１７）、ステップＳ１の処理に戻る。
【００５４】
また音声着信要求信号を検出しながら、何も操作を検出しなかった場合、ステップＳ２２において音声着信要求信号の受信を停止するまで、表示状態を維持する。そして、ステップＳ２３にて受信の停止が検出されると、ステップＳ１の処理に戻る。
【００５５】
次に、動画撮影中にメール着信があった場合における携帯電話１の動作について図６，図７を参照しつつ説明する。なお、以下の説明においては、携帯電話１は動画撮影中であることとして説明するが、静止画撮影中であることとしても良い。
【００５６】
まず、操作者がカメラキー１４１等を操作すると、携帯電話１は撮影モードとなり、撮影レンズ２３を用いて動画撮影を開始する（ステップＳ３１）。このとき、メイン表示部１１は、図７（ａ）と同様の表示をする。
【００５７】
この状態で、前記サーバを介して携帯電話１がメール受信する（ステップＳ３２）と、タイマーをスタートさせる（ステップＳ３３）。
【００５８】
メール受信をしていなければ再びステップＳ３１の動作を継続させるが、メール受信すると、メイン表示部１１は、被写体を中央に表示しつつ、図７（ｂ）の一点鎖線の枠内に示すように、着信を報知する報知メッセージと、通信先の相手のメールアドレスとを上端部にポップアップ表示する（ステップＳ３４）。
【００５９】
また、メイン表示部１１は、下端部に「メール」、「一時停止」及び「終了」の３つの選択肢を表示する。これらの選択肢は、画像撮影を中断するか否かについて、操作者に選択を指示するものである。これに対し操作者は「メール」を選択する場合はカメラキー１４１、「一時停止」を選択する場合は決定キー１４３を、「終了」を選択する場合にはアドレス帳キー１４５を操作して選択を行う。そして、「メール」を選択したか否かで制御部３６は次に行うべき処理を選択する（ステップＳ３５）。
このように、電話を掛けてきた相手の情報と撮影中の画像とがメイン表示部１１に同時に表示されるので、操作者は、メールを送信してきた相手や撮影の重要度に応じて選択を行うことができる。
【００６０】
なお、受信の際には、撮影画像にブレが生じたり着信音が入ったりしないよう、音や振動は生じないことが好ましい。
また、メールアドレスはスクロール表示されることが好ましい。この場合には、メールアドレスが画面内に入りきらない場合にも、通信先の相手のアドレスが操作者に分かり易く表示されることとなる。
更に、図７（ｂ）においては、通信先の相手のメールアドレスが表示されているが、ＲＡＭ３４の内部のアドレスデータに通信先の相手が登録されている場合には、図７（ｃ）の一点鎖線の枠内に示すように、登録名や登録画像が表示されることが好ましい。この場合には、誰からのメールの着信であるのかがより分かり易く表示されることとなる。
【００６１】
そして、操作者が「メール」を選択した場合には、制御部３２は、撮影しているデータをＲＡＭ３４に一時的に保持して（ステップ３６）撮影モードからメールモードに移行させる（ステップＳ３７）。また、メイン表示部１１は、図７（ｄ）に示すように、メールフォルダ一覧を表示する。
【００６２】
一方、操作者が何も選択しない内にステップＳ３８にてタイムアップを検出した場合には、携帯電話１は画像撮影を継続する（ステップＳ３９）。このとき、メイン表示部１１は、被写体を中央に表示しつつ前記報知メッセージを消し、更に、図７（ｅ）の一点鎖線の枠内に示すように、メール着信があった旨を上端部にピクト（絵柄）表示する。このように、音声着信の場合と比較して短時間の経過後にメイン表示部１１から前記報知メッセージが消されるので、被写体を見やすくして画像撮影を行うことができる。
そして、画像撮影が終了したら、操作者は必要に応じて携帯電話１をメールモードとし、着信したメールをメイン表示部１１に表示させることができる。
【００６３】
以上のような携帯電話１によれば、動画や静止画の撮影モード中に音声着信またはメール着信があった場合に、被写体に応じて撮影モードを続行するか否かを選択することができる。
【００６４】
また、メイン表示部１１に通信先の相手の情報と、撮影中の画像とが同時に表示されるので、画像撮影を続行しつつ選択を行うことができる。また、電話を掛けてきた相手や被写体に応じて選択を行うことができる。
【００６５】
また、メイン表示部１１に保留状態の継続時間が表示されるため、撮影に夢中になって相手を待たせ過ぎてしまうことを防止することができる。
【００６６】
＜実施の形態の変形例＞
続いて、上記実施の形態の変形例について説明する。なお、上記実施の形態と同一の構成要素には同一の符号を付し、その説明を省略する。
【００６７】
本変形例における携帯電話１は、上記実施の形態で説明した携帯電話１と同様の構成を有しているが、画像撮影の開始後に音声着信があった場合には、制御部３２は携帯電話１を自動的に撮影モードから通話モードとするようになっている。
このような携帯電話１によれば、画像撮影時に音声着信があればすぐに通話を行い、画像撮影時にメール着信があれば、撮影モードを続行するか否かを、被写体やメールの送信者に応じて選択することができる。
【００６８】
なお、上記の実施の形態においては、撮影モード中に操作者が「メール」を選択した場合には、メイン表示部１１にメールフォルダ一覧が表示されることとして説明したが、メールの内容が表示されることとしても良い。
【００６９】
また、画像撮影を続行するか否かについて選択を指示する旨をメイン表示部１１に表示させることとして説明したが、キー操作部１４のキーを点滅させることなどによって表示することとしても良い。
【図面の簡単な説明】
【００７０】
【図１】本実施の形態における携帯電話を示す図であり、（ａ）は表面側の図、（ｂ）は裏面側の図である。
【図２】本実施の形態における携帯電話の概略構成を示したブロック図である。
【図３】画像撮影中に音声着信があった場合における携帯電話の動作を説明するための図である。
【図４】画像撮影中に音声着信があった場合における携帯電話の動作を説明するための図である。
【図５】メイン表示部の表示画面を示す図である。
【図６】画像撮影中にメール着信があった場合における携帯電話の動作を説明するための図である。
【図７】メイン表示部の表示画面を示す図である。
【符号の説明】
【００７１】
１    携帯電話（撮像装置）
１１  メイン表示部（表示手段）
１２  スピーカ
１４  キー操作部（入力手段）
１５  マイク
２３  撮影レンズ（撮影手段）
３２  制御部（表示制御手段、着信検出手段、変更手段、制御手段）
３９  撮像デバイス（撮影手段）
【図１】
0004241337.tif 000002
【図２】
0004241337.tif 000003
【図３】
0004241337.tif 000004
【図４】
0004241337.tif 000005
【図５】
0004241337.tif 000006
【図６】
0004241337.tif 000007
【図７】
0004241337.tif 000008